(57)【要約】  本発明は、複数の表示部が積層された表示素子、それを備えた電子ペーパー、それを備えた電子端末機器及びそれを備えた表示システム並びに表示素子の画像処理方法に関し、表示品位の優れた表示画像が得られ、利便性が向上する表示素子、それを用いた電子ペーパー、それを用いた電子端末機器及びそれを用いた表示システムを提供することを目的とする。  表示画像がモノクロ表示でないと判断したら（ステップＳ１のＮ）、複数の画素を走査しながら既に書込まれた画像データを再び書込む再書込み処理が独立して実行される表示部の反射する色を決定する（ステップＳ４）。ステップＳ４で決定された色を反射する表示部に対して当該再書込み処理を開始してから（ステップＳ５）、残余の色を反射する表示部に対して当該再書込み処理を開始するように制御する。
2008041290.tif 000002
【特許請求の範囲】
【請求項１】
複数の第１画素を備えた第１の表示部と、
前記第１の表示部と積層され、前記複数の画素に対応配置された複数の第２画素を備えた第２の表示部と、
複数の画素を走査しながら既に書込まれた画像データを再び書込む再書込み処理を前記第１の表示部に対して開始してから前記第２の表示部に対して前記再書込み処理を開始するように制御する表示制御部と
を有することを特徴とする表示素子。
【請求項２】
請求項１記載の表示素子において、
前記表示制御部は、ほぼ同一波形の電圧パルスが前記複数の第１又は第２画素に順次印加されるように制御して、前記第１又は第２の表示部に前記再書込み処理を施すこと
を特徴とする表示素子。
【請求項３】
請求項１又は２に記載の表示素子において、
光を反射する状態、透過する状態、又はそれらの中間的な状態をそれぞれ示して互いに異なる色の光を反射する前記第１及び第２の表示部と共に積層され、前記複数の第１及び第２画素に対応配置された複数の第３画素を備え、光を反射する状態、透過する状態、又はそれらの中間的な状態を示し、前記第１及び第２の表示部で反射する光と異なる色の光を反射する第３の表示部をさらに有すること
を特徴とする表示素子。
【請求項４】
請求項３記載の表示素子において、
前記表示制御部は、前記第１乃至第３の表示部のうちの表示画像の色調に最も近い色を反射する１つを他とは独立したタイミングで前記再書込み処理を開始するように制御すること
を特徴とする表示素子。
【請求項５】
請求項１乃至４のいずれか１項に記載の表示素子において、
前記再書込み処理の開始時期を検知する検知部をさらに有すること
を特徴とする表示素子。
【請求項６】
請求項５記載の表示素子において、
前記検知部は、前記画素の焼付きを回避できる時間間隔を計測するための計測部を有すること
を特徴とする表示素子。
【請求項７】
請求項５又は６に記載の表示素子において、
前記検知部は、外部環境の照度を検出する光検出部を有すること
を特徴とする表示素子。
【請求項８】
請求項７記載の表示素子において、
前記表示制御部は、前記光検出部で検出される前記照度が所定値より低くなったら前記第１の表示部の前記再書込み処理を開始するように制御すること
を特徴とする表示素子。
【請求項９】
請求項３乃至８のいずれか１項に記載の表示素子において、
前記第１乃至第３の表示部は、メモリ性を有すること
を特徴とする表示素子。
【請求項１０】
請求項３乃至９のいずれか１項に記載の表示素子において、
前記第１乃至第３の表示部は、
対向配置された一対の基板と、
前記基板間に封止され、コレステリック相を形成する液晶と
を有すること
を特徴とする表示素子。
【請求項１１】
請求項１０記載の表示素子において、
前記表示制御部は、
前記再書込み処理で、前記画素の既表示状態を一時的に異なる表示状態とするリセット処理と、前記リセット処理後に前記既表示状態と同じ表示状態となるように前記画素に画像データを書込む書込み処理とを実行すること
を特徴とする表示素子。
【請求項１２】
請求項１記載の表示素子において、
前記複数の第１及び第２画素のそれぞれは、セグメント型表示方式の表示セグメントであること
を特徴とする表示素子。
【請求項１３】
画像を表示する電子端末機器において、
請求項１乃至１２のいずれか１項に記載の表示素子を備えていることを特徴とする電子端末機器。
【請求項１４】
画像を表示する表示システムにおいて、
請求項１３記載の電子端末機器を備えていることを特徴とする表示システム。
【請求項１５】
複数の第１画素を備えた第１の表示部と、前記第１の表示部と積層され、前記複数の第１画素に対応配置された複数の第２画素を備えた第２の表示部とを駆動して画像を表示する表示素子の画像処理方法において、
複数の画素を走査しながら既に書込まれた画像データを再び書込む再書込み処理を前記第１の表示部に対して開始してから前記第２の表示部に対して前記再書込み処理を開始するように制御すること
を特徴とする表示素子の画像処理方法。
【請求項１６】
請求項１５記載の表示素子の画像処理方法において、
ほぼ同一波形の電圧パルスが前記複数の第１又は第２画素に順次印加されるように制御して、前記第１又は第２の表示部に前記再書込み処理を施すこと
を特徴とする表示素子の画像処理方法。
【請求項１７】
請求項１５又は１６に記載の表示素子の画像処理方法において、
前記第１の表示部と、前記第２の表示部と、前記第１及び第２の表示部と共に積層されて複数の第３画素を備えた第３の表示部とは、互いに異なる色の光を反射し、
前記第１乃至第３の表示部のうちの表示画像の色調に最も近い色を反射する１つを他とは独立したタイミングで前記再書込み処理を開始すること
を特徴とする表示素子の画像処理方法。
【請求項１８】
請求項１７記載の表示素子の画像処理方法において、
前記画素の焼付きを回避できる時間間隔で前記再書込み処理を開始すること
を特徴とする表示素子の画像処理方法。
【請求項１９】
請求項１８載の表示素子の画像処理方法において、
外部環境の照度が所定値より低くなったら前記第１の表示部の前記再書込み処理を開始すること
を特徴とする表示素子の画像処理方法。
【請求項２０】
請求項１９記載の表示素子の画像処理方法において、
前記再書込み処理で、前記画素の既表示状態を一時的に異なる表示状態とするリセット処理を施し、前記リセット処理の後に前記既表示状態と同じ表示状態となるように前記画素に画像データを書込む書込み処理を実行すること
を特徴とする表示素子の画像処理方法。
【発明の詳細な説明】
【技術分野】
【０００１】
本発明は、複数の表示部が積層された表示素子それを備えた電子ペーパー、それを備えた電子端末機器及びそれを備えた表示システム並びに表示素子の画像処理方法に関する。
【背景技術】
【０００２】
近年、各企業及び各大学等において、電子ペーパーの開発が盛んに進められている。電子ペーパーが期待されている応用市場として、電子書籍を筆頭に、モバイル端末機器のサブディスプレイやＩＣカードの表示部等、多用な応用携帯機器が提案されている。電子ペーパーの有力な表示方式の１つに、コレステリック相が形成される液晶組成物（コレステリック液晶）を用いた表示素子がある。コレステリック液晶は、半永久的な表示保持特性（メモリ性）、鮮やかなカラー表示特性、高コントラスト特性、及び高解像度特性等の優れた特徴を有している。【０００３】
図１２は、コレステリック液晶を用いたフルカラー表示が可能な液晶表示素子５１の断面構成を模式的に示している。液晶表示素子５１は、表示面から順に、青色（Ｂ）表示部４６ｂと、緑色（Ｇ）表示部４６ｇと、赤色（Ｒ）表示部４６ｒとが積層された構造を有している。図示において、上方の基板４７ｂ側が表示面であり、外光（実線矢印）は基板４７ｂ上方から表示面に向かって入射するようになっている。なお、基板４７ｂ上方に観測者の目及びその観察方向（破線矢印）を模式的に示している。【０００４】
Ｂ表示部４６ｂは、一対の上下基板４７ｂ、４９ｂ間に封止された青色（Ｂ）用液晶層４３ｂと、Ｂ用液晶層４３ｂに所定のパルス電圧を印加するパルス電圧源４１ｂとを有している。Ｇ表示部４６ｇは、一対の上下基板４７ｇ、４９ｇ間に封止された緑色（Ｇ）用液晶層４３ｇと、Ｇ用液晶層４３ｇに所定のパルス電圧を印加するパルス電圧源４１ｇとを有している。Ｒ表示部４６ｒは、一対の上下基板４７ｒ、４９ｒ間に封止された赤色（Ｒ）用液晶層４３ｒと、Ｒ用液晶層４３ｒに所定のパルス電圧を印加するパルス電圧源４１ｒとを有している。Ｒ表示部４６ｒの下基板４９ｒ裏面には光吸収層４５が配置されている。【０００５】
各Ｂ、Ｇ、Ｒ用液晶層４３ｂ、４３ｇ、４３ｒに用いられているコレステリック液晶は、ネマティック液晶にキラル性の添加剤（カイラル材ともいう）を数十ｗｔ％の含有率で比較的大量に添加した液晶混合物である。ネマティック液晶にカイラル材を比較的大量に含有させると、ネマティック液晶分子層を強く螺旋状に捻ったコレステリック相を形成することができる。コレステリック液晶はカイラルネマティック液晶とも称される。【０００６】
コレステリック液晶は双安定性（メモリ性）を備えており、液晶に印加する電界強度の調節によりプレーナ状態、フォーカルコニック状態又はプレーナ状態とフォーカルコニック状態とが混在した中間的な状態のいずれかの状態をとることができ、一旦プレーナ状態又はフォーカルコニック状態になると、その後は無電界下においても安定してその状態を保持する。【０００７】
プレーナ状態は、上下基板４７、４９間に所定の高電圧を印加して液晶層４３に強電界を与えた後に急激に電界をゼロにすることにより得られる。フォーカルコニック状態は、例えば、上記高電圧より低い所定電圧を上下基板４７、４９間に印加して液晶層４３に電界を与えた後に急激に電界をゼロにすることにより得られる。プレーナ状態とフォーカルコニック状態とが混在した中間的な状態は、例えば、フォーカルコニック状態が得られる電圧よりも低い電圧を上下基板４７、４９間に印加して液晶層４３に電界を与えた後、急激に電界をゼロにすることにより得られる。【０００８】
このコレステリック液晶を用いた液晶表示素子の表示原理をＢ表示部４６ｂを例にとって図１３を用いて説明する。図１３（ａ）は、Ｂ表示部４６ｂのＢ用液晶層４３ｂがプレーナ状態におけるコレステリック液晶の液晶分子３３の配向状態を示している。図１３（ｂ）は、Ｂ表示部４６ｂのＢ用液晶層４３ｂがフォーカルコニック状態におけるコレステリック液晶の液晶分子３３の配向状態を示している。【０００９】
図１３（ａ）に示すように、プレーナ状態での液晶分子３３は、基板厚方向に順次回転して螺旋構造を形成し、螺旋構造の螺旋軸は基板面にほぼ垂直になる。プレーナ状態では、液晶分子の螺旋ピッチに応じた所定波長の光が選択的に液晶層で反射される。液晶層の平均屈折率をｎとし、螺旋ピッチをｐとすると、反射が最大となる波長λは、λ＝ｎ・ｐで示される。【００１０】
従って、Ｂ表示部４６ｂのＢ用液晶層４３ｂでプレーナ状態時に青色の光を選択的に反射させるには、例えばλ＝４８０ｎｍとなるように平均屈折率ｎ及び螺旋ピッチｐを決める。平均屈折率ｎは液晶材料及びカイラル材を選択することで調整可能であり、螺旋ピッチｐは、カイラル材の含有率を調整することにより調節することができる。【００１１】
一方、図１３（ｂ）に示すように、フォーカルコニック状態での液晶分子３３は、基板面内方向に順次回転して螺旋構造を形成し、螺旋構造の螺旋軸は基板面にほぼ平行になる。フォーカルコニック状態では、Ｂ用液晶層４３ｂに反射波長の選択性は失われ、入射光の殆どが透過する。透過光はＲ表示部４６ｒの下基板４９ｒ裏面に配置された光吸収層４５で吸収されるので暗（黒）表示が実現できる。【００１２】
このように、コレステリック液晶では、螺旋状に捻られた液晶分子３３の配向状態で光の反射透過を制御することができる。上記のＢ用液晶層４３ｂと同様にして、Ｇ用液晶層４３ｇ及びＲ用液晶層４３ｒに、プレーナ状態時に緑又は赤の光を選択的に反射させるコレステリック液晶をそれぞれ封止してフルカラー表示の液晶表示素子５１が作製される。【００１３】
図１４は、各液晶層４３ｂ、４３ｇ、４３ｒのプレーナ状態での反射スペクトルの一例を示している。横軸は、反射光の波長（ｎｍ）を表し、縦軸は、反射率（白色板比；％）を表している。Ｂ用液晶層４３ｂでの反射スペクトルは図中▲印を結ぶ曲線で示されている。同様に、Ｇ用液晶層４３ｇでの反射スペクトルは■印を結ぶ曲線で示し、Ｒ用液晶層４３ｒでの反射スペクトルは◆印を結ぶ曲線で示している。【００１４】
図１４に示すように、各液晶層４３ｂ、４３ｇ、４３ｒのプレーナ状態での反射スペクトルの中心波長は、Ｂ、Ｇ、Ｒの順に長くなるので、コレステリック液晶の螺旋ピッチは、液晶層４３ｂ、４３ｇ、４３ｒの順に長くなる。このため、液晶層４３ｂ、４３ｇ、４３ｒのコレステリック液晶のカイラル材の含有率は、液晶層４３ｂ、４３ｇ、４３ｒの順に低くする必要がある。【００１５】
一般に、反射波長が短くなるほど、液晶分子を強く捻って螺旋ピッチを短くする必要があるのでコレステリック液晶中のカイラル材の含有率は高くなる。また、一般に、カイラル材の含有率が高くなるほど駆動電圧が高くなる傾向がある。また、反射帯域幅Δλはコレステリック液晶の屈折率異方性Δｎが大きくなるに従って大きくなる。
【特許文献１】特開２００４−２１９７１５号公報
【特許文献２】特開２００２−１３９７４６号公報
【発明の開示】
【発明が解決しようとする課題】
【００１６】
しかしながら、コレステリック液晶を用いた液晶表示素子は、静止画を長時間表示しておくと、異なる画像に更新しても前の表示画像がうっすらと残ってしまう「焼付き」が発生するという問題を有している。焼付きの原因として、水分、イオン性不純物又は液晶と基板界面との相性などの様々な要因が推測されている。焼付きを根治するためには、材料の精製度や界面状態に非常に高い安定性が要求される。また、この焼付きを防ぐために、タイマや光センサを液晶表示素子に具備させて、連続動作時間の経過や液晶表示素子が暗い環境に置かれたことを検知することにより全画面をスタンバイ状態（オフ表示）にして焼付きを防ぐ手法がある。しかし、これらの方法ではスタンバイ状態からの復帰（再表示）に時間がかかるため、急に表示画像を見る必要がある時などに液晶表示素子の利便性が著しく低下するという問題がある。【００１７】
特許文献１には、環境温度が高いほど焼付き現象が強く発生するため、温度センサが所定以上の温度を検知したら、例えば全画面が真っ黒になる焼付き防止パターンを表示して液晶をフォーカルコニック状態とすることにより、焼付きを防止する方法が開示されている。しかし、表示画面に焼付き防止パターンを表示すると、それまで表示されていた画像が一時消滅してしまう。このため、表示素子の利便性が著しく低下してしまうという問題が生じる。【００１８】
特許文献２には、７セグメントのモノクロ表示において、コモン電極を各桁にて分割することにより消費電力を低減させる方法が開示されている。また、特許文献２には、焼付き防止のために表示素子を初期化することが開示されている。しかし、特許文献２は、７セグメントのモノクロ表示のみを開示しており、カラー表示が可能なドットマトリクス型の表示装置に関する発想はない。【００１９】
本発明の目的は、表示品位の優れた表示画像が得られ、利便性が向上する表示素子、それを用いた電子ペーパー、それを用いた電子端末機器及びそれを用いた表示システムを提供することにある。
さらに、本発明の目的は、表示品位の優れた表示画像が得られ、利便性が向上する表示素子の画像処理方法を提供することにある。
【課題を解決するための手段】
【００２０】
上記目的は、複数の第１画素を備えた第１の表示部と、前記第１の表示部と積層され、前記複数の画素に対応配置された複数の第２画素を備えた第２の表示部と、複数の画素を走査しながら既に書込まれた画像データを再び書込む再書込み処理を前記第１の表示部に対して開始してから前記第２の表示部に対して前記再書込み処理を開始するように制御する表示制御部とを有することを特徴とする表示素子達成される。【００２１】
上記本発明の表示素子において、前記表示制御部は、ほぼ同一波形の電圧パルスが前記複数の第１又は第２画素に順次印加されるように制御して、前記第１又は第２の表示部に前記再書込み処理を施すことを特徴とする。【００２２】
上記本発明の表示素子において、光を反射する状態、透過する状態、又はそれらの中間的な状態をそれぞれ示して互いに異なる色の光を反射する前記第１及び第２の表示部と共に積層され、前記複数の第１及び第２画素に対応配置された複数の第３画素を備え、光を反射する状態、透過する状態、又はそれらの中間的な状態を示し、前記第１及び第２の表示部で反射する光と異なる色の光を反射する第３の表示部をさらに有することを特徴とする。【００２３】
上記本発明の表示素子において、前記表示制御部は、前記第１乃至第３の表示部のうちの表示画像の色調に最も近い色を反射する１つを他とは独立したタイミングで前記再書込み処理を開始するように制御することを特徴とする。【００２４】
上記本発明の表示素子において、前記再書込み処理の開始時期を検知する検知部をさらに有することを特徴とする。【００２５】
上記本発明の表示素子において、前記検知部は、前記画素の焼付きを回避できる時間間隔を計測するための計測部を有することを特徴とする。【００２６】
上記本発明の表示素子において、前記検知部は、外部環境の照度を検出する光検出部を有することを特徴とする。【００２７】
上記本発明の表示素子において、前記表示制御部は、前記光検出部で検出される前記照度が所定値より低くなったら前記第１の表示部の前記再書込み処理を開始するように制御することを特徴とする。【００２８】
上記本発明の表示素子において、前記第１乃至第３の表示部は、メモリ性を有することを特徴とする。【００２９】
上記本発明の表示素子において、前記第１乃至第３の表示部は、対向配置された一対の基板と、前記基板間に封止され、コレステリック相を形成する液晶とを有することを特徴とする。【００３０】
上記本発明の表示素子において、前記表示制御部は、前記再書込み処理で、前記画素の既表示状態を一時的に異なる表示状態とするリセット処理と、前記リセット処理後に前記既表示状態と同じ表示状態となるように前記画素に画像データを書込む書込み処理とを実行することを特徴とする。【００３１】
上記本発明の表示素子において、前記複数の第１及び第２画素のそれぞれは、セグメント型表示方式の表示セグメントであることを特徴とする。【００３２】
また、上記目的は、画像を表示する電子端末機器において、上記本発明の表示素子を備えていることを特徴とする電子端末機器によって達成される。【００３３】
また、上記目的は、画像を表示する表示システムにおいて、上記本発明の電子端末機器を備えていることを特徴とする表示システムによって達成される。【００３４】
さらに、上記目的は、複数の第１画素を備えた第１の表示部と、前記第１の表示部と積層され、前記複数の第１画素に対応配置された複数の第２画素を備えた第２の表示部とを駆動して画像を表示する表示素子の画像処理方法において、複数の画素を走査しながら既に書込まれた画像データを再び書込む再書込み処理を前記第１の表示部に対して開始してから前記第２の表示部に対して前記再書込み処理を開始するように制御することを特徴とする表示素子の画像処理方法によって達成される。【００３５】
上記本発明の表示素子の画像処理方法において、ほぼ同一波形の電圧パルスが前記複数の第１又は第２画素に順次印加されるように制御して、前記第１又は第２の表示部に前記再書込み処理を施すことを特徴とする。【００３６】
上記本発明の表示素子の画像処理方法において、前記第１の表示部と、前記第２の表示部と、前記第１及び第２の表示部と共に積層されて複数の第３画素を備えた第３の表示部とは、互いに異なる色の光を反射し、前記第１乃至第３の表示部のうちの表示画像の色調に最も近い色を反射する１つを他とは独立したタイミングで前記再書込み処理を開始することを特徴とする。【００３７】
上記本発明の表示素子の画像処理方法において、前記画素の焼付きを回避できる時間間隔で前記再書込み処理を開始することを特徴とする。【００３８】
上記本発明の表示素子の画像処理方法において、外部環境の照度が所定値より低くなったら前記第１の表示部の前記再書込み処理を開始することを特徴とする。【００３９】
上記本発明の表示素子の画像処理方法において、前記再書込み処理で、前記画素の既表示状態を一時的に異なる表示状態とするリセット処理を施し、前記リセット処理の後に前記既表示状態と同じ表示状態となるように前記画素に画像データを書込む書込み処理を実行することを特徴とする。
【発明の効果】
【００４０】
本発明によれば、表示品位の優れた表示画像が得られ、利便性が向上する表示素子、それを用いた電子ペーパー、それを用いた電子端末機器及びそれを用いた表示システムが実現できる。
【図面の簡単な説明】
【００４１】
【図１】本発明の一実施の形態による表示素子としての液晶表示素子１の概略構成を示す図である。
【図２】本発明の一実施の形態による表示素子としての液晶表示素子１の断面構成を模式的に示す図である。
【図３】本発明の一実施の形態による表示素子としての液晶表示素子１の駆動波形の一例を示す図である。
【図４】本発明の一実施の形態による表示素子としての液晶表示素子１の液晶組成物の電圧−反射率特性の一例を示す図である。
【図５】本発明の一実施の形態による表示素子の画像処理方法のフローチャートである。
【図６】本発明の一実施の形態による表示素子の画像処理方法を用いてリフレッシュ処理を実行中の表示部６を模式的に示す図である。
【図７】本発明の一実施の形態による表示素子の画像処理方法において比較的高速な走査速度を保持できる駆動方法を示す実施例の図である。
【図８】本発明の一実施の形態による表示素子の画像処理方法において比較的高速な走査速度を保持できる駆動方法を示す実施例の図である。
【図９】本発明の一実施の形態による表示素子の画像処理方法において比較的高速な走査速度を保持できる駆動方法を示す実施例の図である。
【図１０】本発明の一実施の形態による表示素子の画像処理方法において表示領域の焼付きの評価方法を説明する図である。
【図１１】本発明の一実施の形態による表示素子の画像処理方法において表示領域の焼付きの評価方法を説明する図である。
【図１２】従来のフルカラー表示可能な液晶表示素子の断面構成を模式的に示す図である。
【図１３】従来の液晶表示素子の一液晶層の断面構成を模式的に示す図である。
【図１４】従来の液晶表示素子のプレーナ状態での反射スペクトルの一例を示す図である。
【符号の説明】
【００４２】
１  液晶表示素子
３ｂ、４３ｂ  Ｂ用液晶層
３ｇ、４３ｇ  Ｇ用液晶層
３ｒ、４３ｒ  Ｒ用液晶層
６ｂ、４６ｂ  Ｂ表示部
６ｇ、４６ｇ  Ｇ表示部
６ｒ、４６ｒ  Ｒ表示部
７ｂ、７ｇ、７ｒ  上基板
９ｂ、９ｇ、９ｒ  下基板
４７、４９  基板
１５  可視光吸収層
１７ｒ、１７ｇ、１７ｂ  走査電極
１９ｒ、１９ｇ、１９ｂ  データ電極
２０  走査電極駆動回路
２１  データ電極駆動回路
１８ｂ、１８ｇ、１８ｒ  シール材
２２  昇圧部
２３  表示素子駆動電圧生成部
２４  レギュレータ
２５  検知部
２６  光センサ
２７  タイマ
２８  電源部
２９  表示制御回路
３０  画像データメモリ
３１  液晶層
３３、３３ｂ、３３ｓ  液晶分子
４１  パルス電圧源
【発明を実施するための最良の形態】
【００４３】
本発明の一実施の形態による表示素子、それを用いた電子ペーパー、それを用いた電子端末機器及びそれを用いた表示システム並びに表示素子の画像処理方法について図１乃至図１１を用いて説明する。本実施の形態では、表示素子として、青（Ｂ）、緑（Ｇ）及び赤（Ｒ）用コレステリック液晶を用いた液晶表示素子１を例にとって説明する。まず、本実施の形態による液晶表示素子１の概略の構成について図１乃至図４を用いて説明する。図１は、本実施の形態による液晶表示素子１の概略構成の一例を示している。図２は、図１において図左右方向に平行な直線で液晶表示素子１を切断した断面構成を模式的に示している。【００４４】
図１及び図２に示すように、液晶表示素子１は、回路ブロック１ａと表示ブロック１ｂとを有している。表示ブロック１ｂは、プレーナ状態で青色の光を反射するＢ用液晶層３ｂを備えたＢ表示部６ｂと、プレーナ状態で緑色の光を反射するＧ用液晶層３ｇを備えたＧ表示部６ｇと、プレーナ状態で赤色の光を反射するＲ用液晶層３ｒを備えたＲ表示部６ｒとで構成された表示部６を有している。Ｂ、Ｇ、Ｒ表示部６ｂ、６ｇ、６ｒは、この順に光入射面（表示面）側から積層されている。さらに表示ブロック１ｂは、表示部６を駆動する走査電極駆動回路２０及びデータ電極駆動回路２１を有している。【００４５】
一方、回路ブロック１ａは、例えば不図示のシステム側から入力された３〜５Ｖの直流電圧を表示ブロック１ｂの駆動に必要な直流電圧に変換する電源部２８を有している。また、回路ブロック１ａは、複数の画素を走査しながら既に書込まれた画像データを再び書込む再書込み処理をＲ、Ｇ、Ｂ表示部６ｒ、６ｇ、６ｂの少なくとも１つに対して開始してから残余の表示部に対して再書込み処理を開始するように制御したり、表示部６に画像を表示するための所定の制御信号を生成したりする表示制御回路（表示制御部）２９を有している。さらに、回路ブロック１ａは、システム側から入力された入力画像データを記憶する画像データメモリ３０と、表示部６の再書込み処理の開始時期を検知する検知部２５とを有している。【００４６】
電源部２８は、昇圧部２２と、表示素子駆動電圧生成部２３と、レギュレータ２４とを有している。昇圧部２２は例えばＤＣ−ＤＣコンバータを有し、システム側から入力された直流３〜５Ｖの入力電圧を表示部６の駆動に必要な直流３０〜４０Ｖ前後の電圧に昇圧する。表示素子駆動電圧生成部２３は、昇圧部２２で昇圧された電圧と入力電圧とを用いて、各画素の階調値や選択／非選択の別に応じて必要な複数レベルの電圧を生成する。レギュレータ２４は、ツェナーダイオードやオペアンプ等を有し、電圧生成部２３で生成された電圧を安定化させ、表示ブロック１ｂに備えられた走査電極駆動回路２０及びデータ電極駆動回路２１に供給するようになっている。【００４７】
検知部２５は、タイマ（計測部）２７と光センサ（光検出部）２６とを有している。タイマ２７は、表示部６の表示領域の焼付きを回避できる時間間隔を計測するために用いられる。光センサ２６は、液晶表示素子１が置かれた外部環境の照度を検出する。検知部２５は、タイマ２７が計測する時間データと光センサ２６で検出される照度データとを表示制御回路２９に出力するようになっている。【００４８】
表示制御回路２９は、検知部２５から出力された時間データ及び照度データを用いて、表示部６の再書込み処理を開始するための制御信号を走査電極駆動回路２０及びデータ電極駆動回路２１に出力するようになっている。また、表示制御回路２９は、画像データメモリ３０から読出したＲ、Ｇ、Ｂ表示部６ｒ、６ｇ、６ｂ毎の画像データと予め設定された駆動波形データとに基づいて駆動データを生成する。表示制御回路２９は、生成した駆動データをデータ取込みクロックに合わせて走査電極駆動回路２０及びデータ電極駆動回路２１に出力するようになっている。また表示制御回路２９は、スキャン方向信号、パルス極性制御信号、フレーム開始信号、データラッチ・スキャンシフト、ドライバ出力オフなどの制御信号を両回路２０、２１に出力するようになっている。【００４９】
次に、表示ブロック１ｂの構成についてより詳細に説明する。図１及び図２に示すように、表示ブロック１ｂに備えられたＢ表示部６ｂは、対向配置された一対の上下基板７ｂ、９ｂと、両基板７ｂ、９ｂ間に封止されたＢ用液晶層３ｂとを有している。Ｂ用液晶層３ｂは、青色を選択的に反射するように平均屈折率ｎや螺旋ピッチｐが調整されたＢ用コレステリック液晶を有している。【００５０】
Ｇ表示部６ｇは、対向配置された一対の上下基板７ｇ、９ｇと、両基板７ｇ、９ｇ間に封止されたＧ用液晶層３ｇとを有している。Ｇ用液晶層３ｇは、緑色を選択的に反射するように平均屈折率ｎや螺旋ピッチｐが調整されたＧ用コレステリック液晶を有している。【００５１】
Ｒ表示部６ｒは、対向配置された一対の上下基板７ｒ、９ｒと、両基板７ｒ、９ｒ間に封止されたＲ用液晶層３ｒとを有している。Ｒ用液晶層３ｒは、赤色を選択的に反射するように平均屈折率ｎや螺旋ピッチｐが調整されたＲ用コレステリック液晶を有している。【００５２】
Ｂ、Ｇ、Ｒ用液晶層３ｂ、３ｇ、３ｒを構成する液晶組成物は、ネマティック液晶混合物にカイラル材を１０〜４０ｗｔ％添加したコレステリック液晶である。カイラル材の添加率はネマティック液晶成分とカイラル材との合計量を１００ｗｔ％としたときの値である。ネマティック液晶としては従来公知の各種のものを用いることができるが、コレステリック液晶組成物としての誘電率異方性Δεが２０≦Δε≦５０であることが好ましい。誘電率異方性Δεが２０以上であれば、使用可能なカイラル材の選択範囲は広くなる。また、誘電率異方性Δεが上記範囲より低すぎると、各液晶層３ｂ、３ｇ、３ｒの駆動電圧が高くなってしまう。一方、誘電率異方性Δεが上記範囲より高すぎると、液晶表示素子１としての安定性や信頼性が低下して画像欠陥や画像ノイズが発生し易くなる。【００５３】
コレステリック液晶の屈折率異方性Δｎは画質を支配する重要な物性である。屈折率異方性Δｎの値は、０．１８≦Δｎ≦０．２４であることが好ましい。屈折率異方性Δｎがこの範囲より小さいと、プレーナ状態での各液晶層３ｂ、３ｇ、３ｒの反射率が低くなるので明るさが不足した暗い表示となる。一方、屈折率異方性Δｎが上記範囲より大きいと、液晶層３ｂ、３ｇ、３ｒはフォーカルコニック状態での散乱反射が大きくなるので、表示画面の色純度及びコントラストが不足してぼやけた表示になる。さらに、屈折率異方性Δｎが上記範囲より大きいと粘度が高くなるので、コレステリック液晶の応答速度は低下する。【００５４】
コレステリック液晶の比抵抗ρの値は、１０１０≦ρ≦１０１３（Ω・ｃｍ）であることが好ましい。また、コレステリック液晶の粘性は低い方が低温時の電圧上昇やコントラスト低下を抑制できるので好ましい。【００５５】
Ｂ、Ｇ、Ｒ表示部６ｂ、６ｇ、６ｒの積層構造において、プレーナ状態におけるＧ用液晶層３ｇでの旋光性と、Ｂ用及びＲ用液晶層３ｂ、３ｒでの旋光性とを異ならせているので、図１４に示す青と緑、及び緑と赤の反射スペクトルが重なる領域では、Ｂ用液晶層３ｂで右円偏光の光を反射させ、Ｇ用液晶層３ｇで左円偏光の光を反射させることができる。これにより、反射光の損失を低減させて、液晶表示素子１の表示画面の明るさを向上させることができる。【００５６】
上基板７ｂ、７ｇ、７ｒ、及び下基板９ｂ、９ｇ、９ｒは、透光性を有することが必要である。本実施の形態では、２枚のガラス基板を用いている。また、ガラス基板に代えてポリカーボネート（ＰＣ）やポリエチレンテレフタレート（ＰＥＴ）等のフィルム基板を使用することもできる。本実施の形態では、上基板７ｂ、７ｇ、７ｒ、及び下基板９ｂ、９ｇ、９ｒはいずれも透光性を有しているが、最下層に配置されるＲ表示部６ｒの下基板９ｒは不透光性であってもよい。【００５７】
Ｂ表示部６ｂの下基板９ｂのＢ用液晶層３ｂ側には、図１の図中上下方向に延びる複数の帯状のデータ電極１９ｂが並列して形成されている。また、上基板９ｂのＢ用液晶層３ｂ側には、図１の図中左右方向に延びる複数の帯状の走査電極１７ｂが並列して形成されている。本実施の形態では、インジウム錫酸化物（Ｉｎｄｉｕｍ  Ｔｉｎ  Ｏｘｉｄｅ；ＩＴＯ）からなる透明電極をパターニングしてストライプ状の複数の走査電極１７ｂ及び複数のデータ電極１９ｂが形成されている。両電極１７ｂ、１９ｂの形成材料としては、例えばＩＴＯが代表的であるが、その他インジウム亜鉛酸化物（Ｉｎｄｉｕｍ  Ｚｉｃ  Ｏｘｉｄｅ；ＩＺＯ）等の透明導電膜やアモルファスシリコン等の光導電性膜等を用いることができる。【００５８】
図１に示すように、上下基板７ｂ、９ｂの電極形成面を法線方向に見て、両電極１７ｂ、１９ｂは、互いに交差して対向配置されている。両電極１７ｂ、１９ｂの各交差領域がそれぞれピクセル（画素）となる。複数の画素は両電極１７ｂ、１９ｂで画定されてマトリクス状に配列され、表示画面を形成している。なお、図２に示す番号１７ｂ、１９ｂは、両電極１７ｂ、１９ｂの存在領域を示しているのであって、それらの形状は示唆していない。【００５９】
両電極１７ｂ、１９ｂ上には機能膜として、それぞれ絶縁性薄膜や液晶分子の配向安定化膜（いずれも不図示）がコーティングされていることが好ましい。絶縁性薄膜は、電極１７ｂ、１９ｂ間の短絡を防止したり、ガスバリア層として液晶表示素子１の信頼性を向上させたりする機能を有している。また、配向安定化膜には、ポリイミド樹脂やアクリル樹脂等を用いることができる。本実施の形態では、例えば電極１７ｂ、１９ｂ上のそれぞれの基板全面には、配向安定化膜が塗布（コーティング）されている。配向安定化膜は絶縁性薄膜と兼用されてもよい。【００６０】
上下基板７ｂ、９ｂの外周囲に塗布されたシール材１８ｂにより、Ｂ用液晶層３ｂは両基板７ｂ、９ｂ間に封入されている。また、Ｂ用液晶層３ｂの厚さ（セルギャップ）は均一に保持する必要がある。所定のセルギャップを維持するには、樹脂製又は無機酸化物製の球状スペーサをＢ用液晶層３ｂ内に散布したり、表面に熱可塑性の樹脂がコーティングされた柱状スペーサをＢ用液晶層３ｂ内に複数形成したりする。本実施の形態の液晶表示素子１においても、Ｂ用液晶層３ｂ内にスペーサ（不図示）が挿入されてセルギャップの均一性が保持されている。Ｂ用液晶層３ｂのセルギャップｄは、３μｍ≦ｄ≦６μｍの範囲であることが好ましい。【００６１】
Ｇ表示部６ｇ及びＲ表示部６ｒはＢ表示部６ｂと同様の構造を有しているため、説明は省略する。Ｒ表示部６ｒの下基板９ｒの外面（裏面）には、可視光吸収層１５が設けられている。このため、Ｂ、Ｇ、Ｒの各液晶層３ｂ、３ｇ、３ｒの全てがフォーカルコニック状態の際に、液晶表示素子１の表示画面には黒色が表示される。なお、可視光吸収層１５は必要に応じて設ければよい。【００６２】
上基板７ｂ、７ｇ、７ｒには、複数の走査電極１７ｂ、１７ｇ、１７ｒを個別に駆動する走査電極用ドライバＩＣが実装された走査電極駆動回路２０が接続されている。また、下基板９ｂ、９ｇ、９ｒには、複数のデータ電極１９ｂ、１９ｇ、１９ｒを個別に駆動するデータ電極用ドライバＩＣが実装されたデータ電極駆動回路２１が接続されている。これらの駆動回路２０、２１は、表示制御回路２９から出力された所定の信号に基づいて、パルス状の走査信号やデータ信号を所定の走査電極１７ｂ、１７ｇ、１７ｒあるいはデータ電極１９ｂ、１９ｇ、１９ｒに出力するようになっている。【００６３】
図１に示す液晶表示素子１に入出力装置及び全体を統括制御する制御装置（いずれも不図示）を設けることにより、電子ペーパーが構成される。当該電子ペーパーは、電子端末機器の表示装置として用いることができる。当該電子端末機器は、表示システムの表示装置として用いることができる。【００６４】
次に、液晶表示素子１の駆動方法について図３及び図４を用いて説明する。図３は、液晶表示素子１の駆動データの駆動波形の一例を示している。図３（ａ）は、コレステリック液晶をプレーナ状態に駆動するための駆動波形であり、図３（ｂ）は、コレステリック液晶をフォーカルコニック状態に駆動するための駆動波形である。図３（ａ）及び図３（ｂ）において、図上段は、データ電極駆動回路２０から出力されるデータ信号電圧Ｖｄの波形を示し、図中段は、走査電極駆動回路２１から出力される走査信号電圧Ｖｓの波形を示し、図下段は、Ｂ、Ｇ、Ｒ用の各液晶層３ｂ、３ｇ、３ｒのいずれかのピクセルに印加される液晶印加電圧Ｖｌｃの波形を示している。また、図３（ａ）及び図３（ｂ）において、図の左から右に時間経過を表し、図の上下方向は電圧を表している。【００６５】
図４は、コレステリック液晶の電圧−反射率特性の一例を示している。横軸はコレステリック液晶に印加される電圧値（Ｖ）を表し、縦軸はコレステリック液晶の反射率（％）を表している。図４に示す実線の曲線Ｐは、初期状態がプレーナ状態におけるコレステリック液晶の電圧−反射率特性を示し、破線の曲線ＦＣは、初期状態がフォーカルコニック状態におけるコレステリック液晶の電圧−反射率特性を示している。【００６６】
ここで、図１に示すＢ表示部６ｂの第１列目のデータ電極１９ｂと第１行目の走査電極１７ｂとの交差部の青（Ｂ）ピクセル（１，１）に所定の電圧を印加する場合を例にとって説明する。図３（ａ）に示すように、第１行目の走査電極１７ｂが選択される選択期間Ｔ１の前半の約１／２の期間では、データ信号電圧Ｖｄが＋３２Ｖとなるのに対し走査信号電圧Ｖｓが０Ｖとなり、後半の約１／２の期間では、データ信号電圧Ｖｄが０Ｖとなるのに対し走査信号電圧Ｖｓが＋３２Ｖとなる。このため、Ｂピクセル（１，１）のＢ用液晶層３ｂには、選択期間Ｔ１の間に±３２Ｖのパルス電圧が印加される。図４に示すように、コレステリック液晶に所定の高電圧ＶＰ１００（例えば、３２Ｖ）が印加されて強い電界が生じると、液晶分子の螺旋構造は完全にほどけ、全ての液晶分子が電界の向きに従うホメオトロピック状態になる。従って、Ｂピクセル（１，１）のＢ用液晶層３ｂの液晶分子は選択期間Ｔ１では、ホメオトロピック状態になる。【００６７】
選択期間Ｔ１が終了して非選択期間Ｔ２になると、第１行目の走査電極１７ｂには、例えば＋２８Ｖ及び＋４Ｖの電圧が選択期間Ｔ１の１／２の周期で印加される。一方、１列目のデータ電極１９ｂには、所定のデータ信号電圧Ｖｄが印加される。図３（ａ）では、例えば＋３２Ｖ及び０Ｖの電圧が選択期間Ｔ１の１／２の周期で第１列目のデータ電極１７ｂに印加されている。このため、Ｂピクセル（１，１）のＢ用液晶層３ｂには、非選択期間Ｔ２の間に±４Ｖのパルス電圧が印加される。これにより、非選択期間Ｔ２の間では、Ｂピクセル（１，１）のＢ用液晶層３ｂに生じる電界はほぼゼロになる。【００６８】
液晶分子がホメオトロピック状態のときに液晶印加電圧ＶｌｃがＶＰ１００（±３２Ｖ）からＶＦ０（±４Ｖ）に変化して急激に電界がほぼゼロになると、液晶分子は螺旋軸が両電極１７ｂ、１９ｂに対してほぼ垂直な方向に向く螺旋状態になり、螺旋ピッチに応じた光を選択的に反射するプレーナ状態になる。従って、Ｂピクセル（１，１）のＢ用液晶層３ｂはプレーナ状態になって光を反射するため、Ｂピクセル（１，１）には青が表示される。【００６９】
一方、図３（ｂ）に示すように、選択期間Ｔ１の前半の約１／２の期間及び後半の約１／２の期間で、データ信号電圧Ｖｄが２４Ｖ／８Ｖとなるのに対し、走査信号電圧Ｖｓが０Ｖ／＋３２Ｖとなると、Ｂピクセル（１，１）のＢ用液晶層３ｂには、±２４Ｖのパルス電圧が印加される。図４に示すように、コレステリック液晶に所定の低電圧ＶＦ１００ｂ（例えば、２４Ｖ）が印加されて弱い電界が生じると、液晶分子の螺旋構造が完全には解けない状態になる。非選択期間Ｔ２になると、第１行目の走査電極１７ｂには、例えば＋２８Ｖ／＋４Ｖの電圧が選択期間Ｔ１の１／２の周期で印加され、データ電極１９ｂには、所定のデータ信号電圧Ｖｄ（例えば＋２４Ｖ／８Ｖ）の電圧が選択期間Ｔ１の１／２の周期で印加される。このため、Ｂピクセル（１，１）のＢ用液晶層３ｂには、非選択期間Ｔ２の間に、−４Ｖ／＋４Ｖのパルス電圧が印加される。これにより、非選択期間Ｔ２の間では、Ｂピクセル（１，１）のＢ用液晶層３ｂに生じる電界はほぼゼロになる。【００７０】
液晶分子の螺旋構造が完全には解けない状態において、コレステリック液晶の印加電圧がＶＦ１００ｂ（±２４Ｖ）からＶＦ０（±４Ｖ）に変化して急激に電界がほぼゼロになると、液晶分子は螺旋軸が両電極１７ｂ、１９ｂに対してほぼ平行な方向に向く螺旋状態になり、入射光を透過するフォーカルコニック状態になる。従って、Ｂピクセル（１，１）のＢ用液晶層３ｂはフォーカルコニック状態になって光を透過する。なお、図４に示すように、ＶＰ１００（±３２Ｖ）の電圧を印加して、液晶層に強い電界を生じさせた後に、緩やかに電界を除去しても、コレステリック液晶をフォーカルコニック状態にすることができる。【００７１】
上記駆動電圧は一例であり、室温で、両電極１７ｂ、１９ｂ間に３０〜３５Ｖのパルス状電圧を実効時間２０ｍｓの間印加すると、Ｂ用液晶層３ｂのコレステリック液晶は選択反射状態（プレーナ状態）となり、１５〜２２Ｖのパルス上の電圧を実効時間２０ｍｓの間印加すると、良好な透過状態（フォーカルコニック状態）となる。【００７２】
上述のＢピクセル（１，１）に対応配置された緑（Ｇ）ピクセル（１，１）及び赤（Ｒ）ピクセル（１，１）をＢピクセル（１，１）の駆動と同様にして駆動することにより、３つのＢ、Ｇ、Ｒピクセル（１，１）を積層したピクセル（１，１）にカラー表示をすることができる。また、第１行から第ｎ行までの走査電極１７ｂ、１７ｇ、１７ｒをいわゆる線順次駆動させて１行毎に各データ電極１９のデータ電圧を書き換えることにより、ピクセル（１，１）からピクセル（ｎ，ｍ）までの全てに表示データを出力して１フレーム（表示画面）分のカラー表示が実現できる。なお、コレステリック液晶に中間的な強さの電界を与え、急激に当該電界を除去すると、プレーナ状態とフォーカルコニック状態とが混在した中間調となり、フルカラーの表示が可能となる。【００７３】
次に、本実施の形態による表示素子の画像処理方法について図１及び図５乃至図１１を用いて説明する。本実施の形態による表示素子の画像処理方法は、複数の画素を走査しながら既に書込まれた画像データを再び書込む再書込み処理を第１の表示部に対して開始してから第２の表示部に対して再書込み処理を開始するように制御する。これにより、表示素子の視認性を可能な限り保持したままで表示部の再書込み処理を実行することができるようになる。【００７４】
さらに、本実施の形態では、再書込み処理は同一フレーム内において、画素の既表示状態を一時的に異なる表示状態とするリセット処理と、当該リセット処理後に当該既表示状態と同じ表示状態となるように画素に画像データを書込む書込み処理とを含んでいる。コレステリック液晶の場合には、再書込み処理において、既表示状態と一時的に異なる表示状態としてのホメオトロピック状態とするリセット処理の後に、既表示状態となるように画像データの書込みが行われる。これにより、スタンバイ状態や初期化における表示素子の視認性の低下を最小限に抑えることができる。なお、以下の説明では、表示素子が有する全ての表示部に再書込み処理を行うことをリフレッシュ処理と呼ぶことにする。【００７５】
さらに本実施の形態では、表示部の表示領域の焼付きを回避できる時間間隔で再書込み処理が開始される。これにより、表示素子の焼付きを効果的に防止して、良好な表示状態を維持することができる。【００７６】
次に、本実施の形態による表示素子の画像処理方法を図１に示す液晶表示素子１を例にとって具体的に説明する。図５は、本実施の形態による表示素子の画像処理方法のフローチャートを示している。図６は、本実施の形態による表示素子の画像処理方法によりリフレッシュ処理を実行中の表示部６を模式的に示している。図６（ａ）は、リフレッシュ処理の開始前及び完了後の表示部６を示し、図６（ｂ）及び図６（ｄ）は、再書込み処理時の表示部６を示し、図６（ｃ）は、第１の表示部としてのＧ表示部６ｇの再書込み処理が終了した状態の表示部６を示している。図６（ａ）乃至図６（ｄ）において、上段に示す図は表示部６の断面を模式的に示し、下段に示す図は表示部６の表示画像を示している。図６（ａ）乃至図６（ｄ）の上段の図において、表示部が入射した光Ｌを反射したり透過したりしている状態は通常の表示状態を示し、表示部が光Ｌを反射せずに透過のみしている状態は再書込み処理を施している状態を示している。【００７７】
以下では、図６（ａ）に示しように、赤色に塗り潰された円形の図形ｒと、緑色に塗り潰された三角形の図形ｇと、青色に塗り潰された四角形の図形ｂとが、上側半分が白色であり下側半分が灰色の背景に配置された表示画像を例に表示素子の画像処理方法を説明する。なお、図形ｒは白色の背景の領域に配置され、図形ｇは白色及び灰色の背景の領域に跨って配置され、図形ｂは灰色の背景の領域内に配置されている。本実施の形態では、再書込み処理時に表示画像の視認性がより保持されるように、リセット処理を行う表示部の順序や組み合わせを表示画像の色調に応じて変更するようになっている。表示画像全体の色調は、例えばＲＧＢの各画像データの画素値（階調値）の平均値に基づいて判断してもよいし、あるいは画面中心に表示された表示画像を抽出して、抽出された表示画像から判断してもよい。表示画像全体の色調は表示制御回路２９で判断される。【００７８】
本実施の形態による表示素子の画像処理方法では、図５に示すようにまず、表示画像がモノクロ表示か否かを判断する（ステップＳ１）。ステップ１において、Ｒ、Ｇ、Ｂ表示部６ｒ、６ｇ、６ｂの対応配置された複数の画素にそれぞれ書込まれた画像データ同士を比較して、対応配置された画素同士の画像データが全画素において同一であれば、モノクロ表示と判断する。図１に示すように、例えばＢピクセル（１，１）と、Ｂピクセル（１，１）の直下にそれぞれ配置されたＧピクセル（１、１）及びＲピクセル（１，１）（共に不図示）の画像データが同一であり、以下同様に、Ｂピクセル（１，２）乃至（ｎ，ｍ）と、Ｇピクセル（１，２）乃至（ｎ，ｍ）と、Ｒピクセル（１，２）乃至（ｎ，ｍ）との画像データがそれぞれ同一であると、モノクロ表示と判断される。本例では、図６（ａ）に示すように、カラー表示であるため、モノクロ表示ではないと判断される（ステップＳ１のＮ）。【００７９】
次に、独立して再書込み処理を実行する色を決定する（ステップＳ４）。ステップＳ４において、例えば表示制御回路２９は、画像データメモリ３０からＲＧＢの各画像データをそれぞれ読出して、ＲＧＢ毎に表示画像全体の階調の平均値を求める。次いで、表示制御回路２９は、階調の平均値が最も大きい色を表示画像全体の色調に最も近い色と判断する。図６（ａ）に示すように、本例では図形ｇが他の図形ｒ及び図形ｂより大きいため、緑色は他の色より階調データの平均値が大きくなる。このため、表示制御回路２９は、表示画像の色調が緑色系であると判断する。【００８０】
次に、図５に示すように、Ｒ，Ｇ、Ｂ表示部６ｒ、６ｇ、６ｂのうち、表示画像の色調に最も近い色を反射する表示部を他の表示部とは独立したタイミングで再書込み処理を施す（ステップＳ５）。本例では、第１の表示部としてのＧ表示部６ｇに対して独立したタイミングで再書込み処理が開始される。このように、表示制御回路２９は、Ｒ、Ｂ表示部６ｒ、６ｂとはずらしてＧ表示部６ｇに対する再書込み処理が開始されるように制御する。【００８１】
ここで、再書込み処理時の液晶表示素子１の駆動方法について図７乃至９を用いて説明する。図７乃至図９は、画面書換え時に表示画面を一括リセットする方式よりも低消費電力で表示画面をリセットできる駆動方法を示す実施例を示している。本実施例では、再書込み処理におけるリセット処理で、数ラインずつ順次液晶をホメオトロピック状態あるいはフォーカルコニック状態にリセットする。図７に示すように、例えば４ラインずつリセット処理を行い、同時に１ラインのデータ書込み処理を行うという動作をライン数だけ繰り返して画面書換えを行うことにより低消費電力で表示部６の再書込み処理を施すことができる。【００８２】
図８は画面書換え時の１つの走査電極１７上の各画素に印加される電圧を示している。各画素には１回当たり正負の交流パルスが印加される。１画素の液晶には、図８に示すリセット期間に複数回、例えば４回のリセットパルスが印加され、休止区間を挟んでから、書込区間で書込電圧が印加される。【００８３】
本リセット駆動法を用いることにより、低消費電力でかつ高速に再書込み処理を施すことができる。またリセット用データとして、例えば全画素を白にするというような特別のリセットデータを用いることなく、書込みデータ自体をリセット処理に利用できる。【００８４】
図７において画面の下半分は前回表示分の画面を示し、上半分は新規表示の画面を示している。図７に記載されたコモンモードは走査電極１７を順次選択する線順次走査モードであり、セグメントモードはデータ電極１９毎に印加電圧を選択可能なモードである。スキャン（走査）側ドライバは走査電極（スキャンライン）を順次選択してＯＮスキャンパルスを出力し、データ電極側ドライバは表示すべきデータに応じてＯＮデータあるいはＯＦＦデータのパルスを出力する。図７で表示しているのは、一番上のスキャンラインから始めて書込み先頭ライン、すなわち前述の１ラインずつの書込みラインがほぼ画面の中央付近に達した状態を示し、このライン上のデータの書込みが行われるとともにリセットライン、例えば４ラインについては書込みデータを用いたリセットが行われている状態である。この動作について図９を用いてさらに説明する。【００８５】
図９に示すように、まずリセットラインとして４つのラインを設定する動作が行われる。同図においてスキャン側のスキャン開始信号であるＥｉｏ信号と、データ側のラッチとスキャン側のシフトのタイミングを与えるＬｐ信号とが同時に入力されると、まず図７における画面上の上から一番目のラインが選択され、そのラインにデータを書込み可能な状態となる。次にＥｉｏ信号とＬｐ信号との２つめのパルスが共に入力されると、最初に選択された１ライン目は、Ｌｐ信号によってシフトされ、２ライン目が選択されるとともに、同時に入力されるＥｉｏ信号によって、１ライン目も同時に選択され、１ライン目と２ライン目の２つのラインが選択された状態となる。この動作が繰り返されてリセットライン設定区間では１ライン目から４ライン目が選択状態となって、その４つのラインにデータ書込みが可能な状態となる。【００８６】
次の休止ライン設定区間ではＬｐ信号のみが入力されており、このパルスによって１ラインのシフトが行われ、画面上の２ライン目から５ライン目までが選択された状態となる。【００８７】
その次の書込み区間の最初で、Ｅｉｏ信号とＬｐ信号とが同時に入力され、その前に選択されている２ライン目から５ライン目は１ラインずつシフトされる。その結果、３ライン目から６ライン目が選択された状態となるとともに、Ｅｉｏ信号の入力によって画面上の最初のライン、すなわち１ライン目も選択された状態となる。この状態で１ライン目のデータを与えることによって、１ライン目には本来書込まれるべきデータが書込まれるとともに、３ライン目から６ライン目までには１ライン目のデータがリセットのためのデータとして与えられ、前回表示されたデータのリセットが行われる。この時、２ライン目は休止ライン設定区間で設定された休止ラインとなっており、データの書込みは行われない。【００８８】
その次のＬｐパルスの入力に対応して、その前に選択されていたラインはシフトされ、２ライン目と４ライン目から７ライン目までが選択状態となる。この状態で２ライン目のデータが与えられ、２ライン目に本来書込まれるデータが書込まれるとともに、４ライン目から７ライン目までの前回表示データのリセットが行われる。【００８９】
さらにその次のＬｐパルスの入力によって、同様に３ライン目と５ライン目から８ライン目が選択され、３ライン目のデータの書込みが行われる。３ライン目にはその２つ前のＬｐパルスの入力時に１ライン目のデータが書込まれているが、一般にコレステリック液晶の応答時間は材料の物性にもよるが、数十ｍｓオーダーである。２ライン目のデータが書込まれるタイミングとしてのＬｐパルスの入力時点では、３ライン目は休止区間となっており、この区間（例えば５０ｍｓ以下）において３ライン目の画素はフォーカルコニック状態、あるいはプレーナ状態への遷移の途中の過渡的な状態となっており、３ライン目のデータが実際に与えられる時点で、実際の書込み状態としてのフォーカルコニック状態、またはプレーナ状態のいずれかが決定されることになる。そしてこのような動作が、例えば２４０ライン目まで、すなわち画面上の最も下のラインのデータの書込みが行われるまで繰り返される。【００９０】
リセット区間である５〜８ライン目は、書込みラインである３ライン目と同期している。このため、５〜８ライン目はホメオトロピック状態の画素とフォーカルコニック状態の画素とが混在する。従って、５〜８ライン目には、光が液晶層を透過して光吸収層の色（例えば黒色）が表示される。このリセット区間では、液晶分子は既に書込まれていた画像データに基づく状態から例えばホメオトロピック状態のように螺旋構造がほどかれた状態に遷移する。その後、休止区間を経て書込み区間において、再び画像データを書込むために液晶層に所定の液晶印加電圧が印加される。上記のリセット駆動法は、図４に示す駆動方法のようにリセット区間のない場合に比べて液晶分子をホメオトロピック状態にしておく時間が長いので、液晶層を良好なフォーカルコニック状態にすることができる。これにより、液晶表示素子１は優れたコントラスト比を得ることができる。【００９１】
また、上記のリセット駆動法は、汎用のドライバＩＣを用いてコレステリック液晶を駆動することができるので簡易かつ省電力を実現できる。上記のリセット駆動法に汎用のドライバＩＣを用いる場合には、例えばデータ電極がオンになるとホメオトピック状態からプレーナ状態に遷移し、データ電極がオフになるとホメオトピック状態からフォーカルコニック状態に遷移するように各画素を駆動することができる。【００９２】
図６（ｂ）は、上記のリセット駆動法を用いて再書込み処理を施している表示部６を示している。図６（ｂ）の図中下段は、Ｇ表示部６ｇの画面上側から走査電極１７ｇ（図１参照）を順次走査して画面のほぼ２／３まで再書込み処理が終了し（矢印Ｓｇ）、領域αに含まれる例えば６本の走査電極１７ｇに対してリセット駆動法を用いて再書込み処理が実行されている状態を示している。再書込み処理のリセット処理は、図７に示すリセット区間において実行され、再書込み処理の書込み処理は、図７に示す書込み区間において実行される。【００９３】
表示制御部２９は、ほぼ同一波形の電圧パルスがＧ表示部６ｇの複数の画素（複数の第１画素）に順次印加されるように走査電極駆動回路２０及びデータ電極駆動回路２１を制御して、Ｇ表示部６ｇに再書込み処理を施す。表示制御部２９は例えば図９に示す信号を走査電極駆動回路２０及びデータ電極駆動回路２１に出力する。再書込み処理のリセット処理が施されている液晶層は、ホメオトロピック状態又はフォーカルコニック状態になるため、第１の表示部としてのＧ表示部６ｇの領域αは光Ｌを透過する状態になる。一方、第２及び第３の表示部としてのＲ、Ｂ表示部６ｒ、６ｂは光Ｌを反射したり透過したりする通常の表示状態を維持する。これにより、図６（ｂ）の下段に示すように、液晶表示素子１は、再書込み処理が行われている走査電極１７ｇ上が黒色でありその他の領域では緑色である三角形の図形ｇと、通常表示と同様の赤色の円形の図形ｒ及び青色の四角形の図形ｂと、再書込み処理が行われている走査電極１７ｇ上が中間調のマゼンタでありその他が通常表示と同様の白色又は灰色の背景とを表示する。このように、液晶表示素子１は、再書込み処理を施している走査線上の表示画面が通常表示とは異なる色になるものの通常表示時の画像情報を十分認識できる程度の表示を維持できる。【００９４】
このように、図７乃至図９に示すリセット駆動法を用いて、例えば第１行目から第ｎ行目の走査電極１７ｇにそれぞれ配置された複数の画素（複数の第１画素）を順次走査して、第１の表示部としてのＧ表示部６ｇの再書込み処理が終了する。【００９５】
次に、図５に示すように、第２及び第３の表示部としてのＲ、Ｂ表示部６ｒ、６ｂの再書込み処理を開始する（ステップＳ５）。Ｒ、Ｂ表示部６ｒ、６ｂはＧ表示部６ｇと同様にリセット駆動法により再書込み処理が施される。図６（ｄ）の図中下段は、Ｒ、Ｂ表示部６ｒ、６ｂの画面上側から走査電極１７ｒ、１７ｂ（図１参照）を順次走査して画面のほぼ２／３まで再書込み処理が終了し（矢印Ｓｒ、Ｓｂ）、領域αに含まれる例えば６本の走査電極１７ｒ、１７ｂに対してリセット駆動法を用いて再書込み処理が実行されている状態を示している。【００９６】
表示制御部２９は、ほぼ同一波形の電圧パルスがＲ、Ｂ表示部６ｒ、６ｂの複数の画素（複数の第２及び第３画素）に順次印加されるように走査電極駆動回路２０及びデータ電極駆動回路２１を制御して、Ｒ、Ｂ表示部６ｒ、６ｂに再書込み処理を施す。再書込み処理のリセット処理が施されている液晶層は、ホメオトロピック状態又はフォーカルコニック状態になる。このため、図６（ｄ）の上段に示すように、Ｒ、Ｂ表示部６ｒ、６ｂの領域αは光Ｌを透過する状態になる。一方、Ｇ表示部６ｇは光Ｌを反射したり透過したりする通常の表示状態を維持する。これにより、図６（ｄ）の下段に示すように、液晶表示素子１は、通常表示と同様の赤色の円形の図形ｒ及び緑色の三角形の図形ｇと、再書込み処理が行われている走査電極１７ｒ、１７ｂ上が黒色でありその他の領域では青色である四角形の図形ｂと、再書込み処理が行われている走査電極１７ｒ、１７ｂ上が中間調の緑色でありその他が通常表示と同様の白色又は灰色の背景とを表示する。図６（ｄ）の下段に示すように、液晶表示素子１は、再書込み処理を施しているＲ、Ｂ表示部６ｒ、６ｂの走査線１７ｒ、１７ｂ上の表示画面が通常表示とは異なる色になるものの通常表示時の画像情報を十分認識できる程度の表示を維持できる。【００９７】
このように、図７乃至図９に示すリセット駆動法を用いて、例えば第１行目から第ｎ行目の走査電極１７ｒ、１７ｂにそれぞれ配置された複数の画素（複数の第２及び第３画素）を順次走査して、第２及び第３の表示部としてのＲ、Ｂ表示部６ｒ、６ｂの再書込み処理が終了するとともに表示部６のリフレッシュ処理が終了する。【００９８】
本例では、画像全体の色調が緑色系であることを前提に説明したが、当該色調が青色系の場合にはステップＳ４において、第１の表示部としてのＢ表示部６ｂに対して他の色を反射するＲ、Ｇ表示部６ｒ、６ｇとずらして再書込み処理が開始される。次いで、ステップＳ５において、残余の色を反射する第２及び第３の表示部としてのＲ、Ｇ表示部６ｒ、６ｇに対して再書込み処理が実行される。また、当該色調が赤色系の場合にはステップＳ４において、第１の表示部としてのＲ表示部６ｒは他の色を反射するＧ、Ｂ表示部６ｇ、６ｂとずらして再書込み処理が開始される。次いで、ステップＳ５において、残余の色を反射する第２及び第３の表示部としてのＧ、Ｂ表示部６ｇ、６ｂに対して再書込み処理が実行される。【００９９】
さらに、本実施の形態では、図６（ａ）乃至図６（ｄ）の下段に示すように、Ｒ、Ｂ表示部６ｒ、６ｂの再書込み処理は、Ｇ表示部６ｇの１フレーム分の再書込み処理が終了してから開始されている。しかし、図６（ｂ）の下段に示すように、再書込み処理時に表示画像が通常と異なるのは全画面中の一部である。このため、Ｒ、Ｇ、Ｂ表示部６ｒ、６ｇ、６ｂのそれぞれの再書込み処理が同期して開始されなければ、第２及び第３の表示部としてのＲ、Ｂ表示部６ｒ、６ｂの再書込み処理は、第１の表示部としてのＧ表示部６ｇの１フレーム分の再書込み処理が終了する前に開始されてもよい。この場合、再書込み処理時に表示画像が通常と異なる領域は、図６（ｂ）の下段に示す当該領域より広くなるものの、全表示領域に対する当該領域は狭いので、通常表示時の画像情報を十分認識できる程度の表示を維持できる。【０１００】
図５に示すように。ステップＳ１において、モノクロ表示と判断されたら（ステップＳ１のＹ）、第１の表示部としてのＧ表示部６ｇに再書込み処理を施す（ステップＳ２）。緑色はＲＧＢのうちで最も視感度が高く、表示画像の見た目への影響が最も大きいため、単独でＧ表示部６ｇに対して再書込み処理が実行される。次いで、第２及び第３の表示部としてのＲ、Ｂ表示部６ｒ、６ｂに再書込み処理を施す（ステップＳ３）。これにより、Ｒ、Ｂ表示部６ｒ、６ｂの再書込み処理が終了すると共に、表示部６のリフレッシュ処理が終了する。ステップＳ２、Ｓ３の各処理は、ステップＳ５、Ｓ６の各処理とそれぞれ同様であるため、説明は省略する。【０１０１】
再書込み処理を行う順番は、図５に示す順番に限られず、例えばステップＳ３を処理した後にステップＳ２を処理し、ステップＳ６を処理した後にステップＳ５を処理してもよい。この順番で表示部６の再書込み処理を行う場合には、ステップＳ３又はステップＳ６で処理される表示部が第１の表示部となり、ステップＳ２又はステップＳ５で処理される表示部が第２の表示部となる。また、ステップＳ３、Ｓ６において、Ｒ、Ｂ表示部６ｒ、６ｂを同時に処理せずに、各表示部６ｒ、６ｂをそれぞれ単独で処理してもよい。同様に、ステップＳ９、Ｓ１０において、残余の色を同時に処理せずに、色毎に表示部をそれぞれ単独で処理してもよい。さらに、ステップＳ４の処理を実行せずに、例えばＲ、Ｇ、Ｂ表示部６ｒ、６ｇ、６ｂをそれぞれ単独で再書込み処理を順次実行してもよい。【０１０２】
次に、液晶表示素子１の再書込み処理の開始時期について図１０及び図１１を用いて説明する。本実施の形態では、リフレッシュ処理は、表示領域内の画素の焼付きを回避できる時間間隔や液晶表示素子１が置かれた外部環境の照度に基づいて実行される。図１０及び図１１は、表示領域の焼付きの評価方法を説明する図である。図１０は、焼付き評価時及び評価終了後の表示画像の一例を示している。図中左側の図は、画素の焼付き評価時の表示部６を例示し、図中右側の図は、画素の焼付き評価終了後の表示部６を例示している。図１１は、図１０に示す市松模様（チェッカーパターン）の表示時間と焼付き度ΔＹとの関係を示すグラフである。図１１の横軸は、市松模様の表示時間（ｈ）を表し、縦軸は、焼付き度ΔＹを表している。図中左右方向に延びる破線の直線は、焼付きの視認限界の境界を示し、図中縦方向に延びる点線の直線は、本実施の形態におけるリフレッシュ処理の時間間隔を示している。また、図中に示す太矢印は、焼付きを視認できる焼付き度ΔＹの範囲を示している。【０１０３】
図１０に示すように、例えば表示部６に市松模様を所定時間表示させた後に、白色あるいは一定の中間調の色を表示画面の全面に表示する。そうすると、表示画面の全面に白色あるいは一定の中間調の色を表示したにもかかわらず、図１０の図中右側に例示するように、市松模様が焼付きとして表示画面に残存する場合がある。表示部６の焼付きの度合はΔＹを指標として評価される。ΔＹは、市松模様のうちの白表示領域Ａの明度Ｙｗ及び黒表示領域Ｂの明度Ｙｂから、ΔＹ＝Ｙｗ−Ｙｂによって算出される。表示部６の焼付きが強いほど、黒表示領域Ｂは黒くなるのでＹｂの値が低下して、ＹｗとＹｂとの差が大きくなる。従って、ΔＹの値が大きいほど、画素の焼付きが強いと判断することができる。ΔＹを所定の時間間隔で例えば０日〜数日に亘って繰り返し算出することにより、図１１に示すようなグラフが得られる。なお、反射率の測定には、例えば大塚電子株式会社製の分光測定機を用いることができる。【０１０４】
図１１に示すように、画素の焼付きは表示時間が長くなるほどΔＹが増加する。図中に破線の直線で示すように、一般にΔＹ≦０．５（標準白色板のＹ値を１００とした場合）であれば、表示画面の焼付きが気にならないレベルと言える。そこで、本実施の形態では、画素の焼付きの許容範囲はΔＹ≦０．５に設定されている。表示時間に対するΔＹの特性は、使用されている液晶材料等により異なる。本実施の形態では、同一画像を約１３．５時間表示しているとΔＹ＞０．５となって、表示画面に焼付き現象が視認されるようになる。そこで、本実施の形態では、画素の焼付きに対して所定のマージンを確保する目的で、リフレッシュ処理が１２時間周期で行われるように設定される。これにより、液晶表示素子１のΔＹは０．５未満に抑制できるため、表示画面の焼付き発生が防止され、表示品位の向上を図ることができる。仮に、本実施の形態におけるリフレッシュ処理を２４時間周期で行うと、ΔＹは０．５を超えるので、表示画面に焼付きが生じて液晶表示素子１の表示品位は損なわれることになる。【０１０５】
例えば表示制御回路２９には、焼付き発生を防止するためのリフレッシュ処理を開始する時間間隔が記憶されている。表示制御回路２９は、タイマ２７から出力される時間データが当該時間間隔を超えたら図５に示す表示部６のリフレッシュ処理を開始する。表示制御回路２９はＲ、Ｇ、Ｂ表示部６ｒ、６ｇ、６ｂのリフレッシュ処理が終了したら、タイマ２７の時間データをリセットして、タイマ２７から出力される時間データとリフレッシュ処理を開始する時間間隔との比較を再開する。【０１０６】
さらに、液晶表示素子１は、検知部２５の光センサ２６から出力された照度データに基づいて上記時間間隔とは独立して自発的にリフレッシュ処理を開始できるようになっている。表示制御回路２９は、光センサ２６から出力される照度データが所定の閾値より低くなったら図５に示す表示部６のリフレッシュ処理を開始する。表示制御回路２９は表示部６のリフレッシュ処理が終了したら、光センサ２６から出力される照度データとリフレッシュ処理を開始する閾値との比較を再開する。このように、液晶表示素子１は、光センサ２６を具備することにより、液晶表示素子１が暗い場所に持ち込まれて画面が見えないような状況になると、１２時間周期に達していなくても自発的に表示部６のリフレッシュ処理を開始することができる。これにより、画素の焼付きが防止されると共に液晶表示素子１の利便性が向上する。リフレッシュ処理を開始するための閾値は、例えば５０（ｌｘ）に設定しておく。液晶表示素子１は反射型表示素子であるため、周囲の照度が５０（ｌｘ）以下になると視認度が著しく低下する。このため、５０（ｌｘ）の照度は自発的リフレッシュ処理の指標として好適である。【０１０７】
以上説明したように、本実施の形態によれば、液晶表示素子１は、Ｒ、Ｇ、Ｂ表示部６ｒ、６ｇ、６ｂのうちの少なくとも１つに対して異なるタイミングで再書込み処理を施すことにより、表示画面の視認性を可能な限り保持したままで表示部６のリフレッシュ処理を実行することができる。また、液晶表示素子１は、再書込み処理が施されるＲ、Ｇ、Ｂ表示部６ｒ、６ｇ、６ｂの組み合わせを表示画像に応じて選択できるので、再書込み処理時の視認性への影響を可能な限り小さくできる。さらに、液晶表示素子１は、表示部６の複数の画素に焼付きが生じない間隔でフレッシュ処理を実行することにより画素の焼付きが防止され、良好な表示品位を得ることができる。【０１０８】
本発明は、上記実施の形態に限らず種々の変形が可能である。
上記実施の形態では、Ｒ、Ｇ、Ｂ表示部６ｒ、６ｇ、６ｇは、それぞれ別個独立に駆動できるように構成されているが、本発明はこれに限られない。例えば、走査電極駆動回路２０の所定の出力端子は走査電極１７ｂ、１７ｇ、１７ｒの所定の各入力端子に共通接続されていてもよい。この場合、Ｒ、Ｇ、Ｂ表示部６ｒ、６ｇ、６ｇの各走査電極１７ｒ、１７ｇ、１７ｂに同じ電圧が印加されてしまう。しかし、再書込み処理をしない表示部の液晶層に印加される電圧がほぼ０Ｖとなるようにデータ電極に印加される電圧を調整することにより、上記第１及び第２の実施の形態と同様の効果が得られる。【０１０９】
上記実施の形態では、マトリクス型表示方式の液晶表示素子を例にとって説明したが本発明はこれに限られない。例えば、表示したいセグメントだけに独立に電圧を印加するスタティック型や表示セグメントを時系列的にタイミングを合わせて駆動するダイナミック（マルチプレックス）型などの駆動方式を用いたセグメント型表示方式の液晶表示素子にも適用できる。【０１１０】
上記実施の形態では、液晶表示素子１は、光センサ２６及びタイマ２７を有しているが、本発明はこれに限られない。例えば、液晶表示素子１は、タイマ２７のみを有していても、画素の焼付きを防止できるので、上記実施の形態と同様の効果が得られる。
【産業上の利用可能性】
【０１１１】
表示部のリフレッシュ処理が実行される表示素子に適用できる。
【図１】
2008041290.tif 000003
【図２】
2008041290.tif 000004
【図３】
2008041290.tif 000005
【図４】
2008041290.tif 000006
【図５】
2008041290.tif 000007
【図７】
2008041290.tif 000008
【図８】
2008041290.tif 000009
【図９】
2008041290.tif 000010
【図１０】
2008041290.tif 000011
【図１１】
2008041290.tif 000012
【図１２】
2008041290.tif 000013
【図１３】
2008041290.tif 000014
【図１４】
2008041290.tif 000015
【図６】
2008041290.tif 000016
【手続補正書】
【提出日】平成21年2月26日(2009.2.26)
【手続補正１】
【補正対象書類名】特許請求の範囲
【補正対象項目名】全文
【補正方法】変更
【補正の内容】
【特許請求の範囲】
【請求項１】
複数の第１画素を備えた第１の表示部と、
前記第１の表示部と積層され、前記複数の画素に対応配置された複数の第２画素を備えた第２の表示部と、
複数の画素を走査しながら既に書込まれた画像データを再び書込む再書込み処理を前記第１の表示部に対して開始してから前記第２の表示部に対して前記再書込み処理を開始するように制御する表示制御部と
を有することを特徴とする表示素子。
【請求項２】
請求項１記載の表示素子において、
前記表示制御部は、ほぼ同一波形の電圧パルスが前記複数の第１又は第２画素に順次印加されるように制御して、前記第１又は第２の表示部に前記再書込み処理を施すこと
を特徴とする表示素子。
【請求項３】
請求項１又は２に記載の表示素子において、
光を反射する状態、透過する状態、又はそれらの中間的な状態をそれぞれ示して互いに異なる色の光を反射する前記第１及び第２の表示部と共に積層され、前記複数の第１及び第２画素に対応配置された複数の第３画素を備え、光を反射する状態、透過する状態、又はそれらの中間的な状態を示し、前記第１及び第２の表示部で反射する光と異なる色の光を反射する第３の表示部をさらに有すること
を特徴とする表示素子。
【請求項４】
請求項３記載の表示素子において、
前記表示制御部は、前記第１乃至第３の表示部のうちの表示画像の色調に最も近い色を反射する１つを他とは独立したタイミングで前記再書込み処理を開始するように制御すること
を特徴とする表示素子。
【請求項５】
請求項１乃至４のいずれか１項に記載の表示素子において、
前記再書込み処理の開始時期を検知する検知部をさらに有すること
を特徴とする表示素子。
【請求項６】
画像を表示する電子端末機器において、
請求項１乃至５のいずれか１項に記載の表示素子を備えていることを特徴とする電子端末機器。
【請求項７】
画像を表示する表示システムにおいて、
請求項６記載の電子端末機器を備えていることを特徴とする表示システム。
【請求項８】
複数の第１画素を備えた第１の表示部と、前記第１の表示部と積層され、前記複数の第１画素に対応配置された複数の第２画素を備えた第２の表示部とを駆動して画像を表示する表示素子の画像処理方法において、
複数の画素を走査しながら既に書込まれた画像データを再び書込む再書込み処理を前記第１の表示部に対して開始してから前記第２の表示部に対して前記再書込み処理を開始するように制御すること
を特徴とする表示素子の画像処理方法。
【請求項９】
請求項８記載の表示素子の画像処理方法において、
ほぼ同一波形の電圧パルスが前記複数の第１又は第２画素に順次印加されるように制御して、前記第１又は第２の表示部に前記再書込み処理を施すこと
を特徴とする表示素子の画像処理方法。
【国際調査報告】
2008041290.tif 000017
2008041290.tif 000018